(57)【特許請求の範囲】
【請求項１】
一対の給電端子を備えたＬＥＤランプへ給電するための一対の導電部材を備える本体部と、前記一対の給電端子が挿通される挿通口を有し、前記本体部により回動可能に支持される受板とを備える直管形ＬＥＤランプ用ソケットにおいて、
前記ＬＥＤランプの回動を、前記一対の給電端子が前記挿通口に挿入される受入れ位置から、前記一対の導電部材と前記一対の給電端子とが電気的に接続する接続保持位置までの範囲内に規制する回動規制手段を備えた、直管形ＬＥＤランプ用ソケット。
【請求項２】
請求項１に記載の直管形ＬＥＤランプ用ソケットにおいて、
前記回動規制手段は、前記受板の周縁において外周方向に突出する突出片と、前記本体部側における前記受入れ位置および前記接続保持位置において前記突出片と当接する位置に設けられた２つのストッパー部とを組み合わせて構成されている、直管形ＬＥＤランプ用ソケット。
【請求項３】
請求項１または２に記載の直管型ＬＥＤランプ用ソケットにおいて、
前記導電部材は弾性導電部材であり、前記ＬＥＤランプが回動している間、前記給電端子により押されて変形する、直管形ＬＥＤランプ用ソケット。
【請求項４】
請求項１〜３のいずれかに記載の直管形ＬＥＤランプ用ソケットを天井面や壁面に設置し、これに直管形ＬＥＤランプを装着するようにしている照明システム。
【請求項５】
請求項１〜３のいずれかに記載の直管形ＬＥＤランプ用ソケットと、直管形ＬＥＤランプとを組み合わせた照明器具。
【発明の詳細な説明】
【技術分野】
【０００１】
本発明は、両端に口金を備えた従来の直管形蛍光ランプに類似した外観、形状を有するＬＥＤランプ用のソケットに関する。
【背景技術】
【０００２】
近時、省エネを目的とした屋内設備をリニューアルするため、照明用の蛍光ランプ等を、低消費電力かつ長寿命なＬＥＤランプによって置換することがしばしば行われている。
直管形蛍光ランプを使用する屋内設備の場合は、置換すべきＬＥＤランプの口金を、その蛍光ランプ用のソケットに装着可能なものにしておけば、そのソケットはそのまま使えるので、リニューアルの費用を抑えることができる。
【０００３】
そのような従来技術として、たとえば次の特許文献１には、既存の蛍光灯ソケットを、そのまま装着して使用できる蛍光灯型ＬＥＤランプが提案されている。また特許文献２には、蛍光ランプ、ＬＥＤランプの両方に対応した照明器具が提案されており、この場合もソケットは、従来の回し込み型の蛍光ランプをそのまま使用できる構成となっている。
【０００４】
ところで、例えばＧ１３型口金に代表される従来の回し込み型蛍光ランプをＬＥＤランプに置換する場合、そのような蛍光ランプは一対の給電端子を立設させた口金が両端に設けられ、それらの口金は形状的にも機能的にも同等である。一方、この蛍光ランプに対応したソケットは、これらの給電端子を挿通させるための挿通口が形成された受板と、その受板の裏側に対向配置された一対の弾性導電部材とを備えており、この受板に口金の端面を押し当て、給電端子のそれぞれが弾性導電部材に接触し保持されるまで回動させて取り付ける構造になっている。
【０００５】
ところが、ＬＥＤランプの光源である発光ダイオード素子は直流電源が必要であるから、ＬＥＤランプは口金より直流電源を供給する直流駆動タイプか、あるいは口金に交流電源を供給してランプ側に設けた電源回路によって整流する交流駆動タイプのいずれかになる。前者の場合には、そのソケットの弾性導電部材の一方がプラス側、他方はマイナス側にする必要がある。
【先行技術文献】
【特許文献】
【０００６】
【特許文献１】特開2011-129323号公報
【特許文献２】特開2011-171227号公報
【発明の概要】
【発明が解決しようとする課題】
【０００７】
しかしながら、直流駆動タイプのＬＥＤランプを使用する場合、ソケットに装着する際の回動方向を誤ると、ＬＥＤランプに供給される電源の極性が逆になるために、ＬＥＤランプを損傷してしまうおそれがある。そこで、本発明は、そのような作業ミスが生じない、新規な構成の回し込み型ソケットを提供することを目的とする。
【課題を解決するための手段】
【０００８】
上記目的を達成するため提案される本発明は、一対の給電端子を備えたＬＥＤランプへ給電するための一対の導電部材を備える本体部と、前記一対の給電端子が挿通される挿通口を有し、前記本体部により回動可能に支持される受板とを備える直管形ＬＥＤランプ用ソケットにおいて、前記ＬＥＤランプの回動を、前記一対の給電端子が前記挿通口に挿入される受入れ位置から、前記一対の導電部材と前記一対の給電端子とが電気的に接続する接続保持位置までの範囲内に規制する回動規制手段を備えている。
【０００９】
前記回動規制手段は、前記受板の周縁において外周方向に突出する突出片と、前記本体部側における前記受入れ位置および前記接続保持位置において前記突出片と当接する位置に設けられた２つのストッパー部とを組み合わせて構成されてもよい。
【００１０】
また、前記導電部材は弾性導電部材であり、前記ＬＥＤランプが回動している間、前記給電端子により押されて変形してもよい。
【００１１】
更に、本発明による照明システムは、本発明の直管形ＬＥＤランプ用ソケットを用いて構成され、このソケットを天井面や壁面に予め設置しておき、これに直管形ＬＥＤランプを取り付ける構造になっている。
【００１２】
また、本発明による照明器具は、本発明の前記直管形ＬＥＤランプ用ソケットに、直管形ＬＥＤランプとを組み合わせた構成になっている。
【発明の効果】
【００１３】
本発明によれば、回動規制手段を設けて、受板のＬＥＤランプの装着時の回動範囲を、一対の給電端子の受入れ位置から、接続保持位置までの範囲内で、正、逆転の回動のみを許容する構成にしているので、ソケットに直流駆動タイプのＬＥＤランプを装着する際の回動方向を誤るという作業ミスが確実に防止できる。
【００１４】
また受板に、ＬＥＤランプの口金側に形成された凹部に嵌合する凸部を対応して形成しておけば、そのような凹部を口金に具備しない他種別のランプとの誤装着も防止できる。
【図面の簡単な説明】
【００１５】
【図１】（ａ）〜（ｅ）は、本発明のソケットの一実施例を示す説明図である。
【図２】ＬＥＤランプの接続保持位置を示す本発明のソケットの正面図である。
【図３】（ａ）〜（ｅ）は、本発明のソケットと組み合わせて使用されるソケットの一例を示す説明図である。
【図４】（ａ）〜（ｃ）は、直流駆動型ＬＥＤランプの説明図である。
【図５】（ａ）〜（ｅ）は、本発明のソケットの他の実施例を示す説明図である。
【図６】（ａ）〜（ｃ）は、交流駆動型ＬＥＤランプの説明図である。
【図７】（ａ）、（ｂ）は、本発明の変形例を示す説明図である。
【発明を実施するための形態】
【００１６】
図１は、本発明による直管形ＬＥＤランプ用ソケットの一例を示す。
ここに（ａ）は正面図、（ｂ）は平面図、（ｃ）は底面図、（ｄ）は右側面図、（ｅ）は背面図であり、受板を受入れ位置にしたときの状態を示している。左側面図は省略している。
また、図２は、ＬＥＤランプを接続保持したときの正面図であり、受板を保持位置としたときの状態を示している。
【００１７】
ソケット１Ａは、図４に示すＬＥＤランプ２Ａの口金に立設された一対の給電端子２３を挿通させるための挿通口１３が形成された受板１０と、一対の弾性導電部材１２を内蔵し、受板１０の裏側に対向配置されて、一対の給電端子２３を回動可能に保持する本体部１１とを備えている。
【００１８】
受板１０は、たとえばポリカ、ウレタン、ＡＢＳ等の樹脂からなり、径方向に２分割した円盤状板の裏側から支軸１０ａを突出させ、該支軸１０ａを本体部１１の中心に突設させた軸受筒部１１ａに嵌め込んで回動可能に支持されている。
受板１０の径方向に分割された隙間部分は、挿通口１３を構成しており、受板１０の支軸１０ａが軸受筒部１１ａに嵌め込まれると、図示しない係止手段によって、軸受筒部１１ａから脱落しないようになっている。
【００１９】
受板１０は、ＬＥＤランプ２Ａの口金から突出した一対の給電端子２３を、挿通口１３に挿入して、ＬＥＤランプの口金の端面を受板１０に押し当てて回動させると、ＬＥＤランプ２３の口金に追随して回動するが、その際の回動範囲は、受板１０と本体部１１とに設けられた後述する回動規制手段１４によって規制されている。
【００２０】
回動規制手段１４は、受板１０の周縁適所に形成した突出片１４ａと、本体部１１側に設けた２つのストッパー部１４ｂとを組み合わせて構成されている。
受板１０の回動範囲は、正面図（ａ）において時計回りに０°〜９０°に設定されている。
ここに、０°の位置は、ＬＥＤランプの口金を挿通口１３に挿通させるための受入れ位置であり、９０°の位置は、給電端子２３が弾性導電部材１２によって保持される保持位置である。突出片１４ａの形状は、たとえば連続した円弧状以外に、受板１０の周縁に間隔を開けて、２つの突起を設けたものでもよい。
ここでは概ね９０°の広がりを有した円弧状の突出片１４ａの回動を、１８０°の間隔で配置したストッパー部１４ｂによって規制することにより、受板１０の回動範囲を９０°に設定しているが、これに限定されるものではない。
【００２１】
弾性導電部材１２は、たとえばＳＵＰ、ＳＵＳ、ＰＢＰ、ＢＳＰ、ＳＫ等の金属板で形成され、正面図（ａ）の破線で示すような略Ｊ字形の基本形状を有する。
Ｊ字の短辺側（下側）の先端は固定端であって、この部分を本体部１１の内部に固定している。
Ｊ字の長辺側(上側)は「く」の字に屈曲されており、「く」字の谷部に凹所１２ａが保持部として形成され、その両側がガイド面になっている。
弾性導電部材１２は、互いの谷部が遠ざかるように、軸受筒部１１ａを挟んで向かい合って配置され、受板１０の挿通口１３にランプ２Ａの一対の給電端子２３を挿入して、口金の端面を押し当てて回動させたときには、一対の給電端子２３は弾性導電部材１２のガイド面に接触して摺動しながら、軸受筒部１１ａと弾性導電部材１２との隙間を通過して保持位置まで到達し、保持部となる凹所１２ａに嵌まり込んで保持される。
【００２２】
本体部１１は、受板１０と同様の材料よりなり、カマボコ型輪郭を有した板形状を有する。本体部１１の正面には受板１０よりも少し径が小さい開口１１ｂが設けられ、底面から開口１１ｂの中心に向けて軸受筒部１１ａが突設されている。
本体部１１の上部には受板１０が受入れ位置にあるときに、挿通口１３に整合する切欠きが形成されている。軸受筒部１１ａは、受板１０が受入れ位置にあるときに、軸受筒部１１ａの周壁が挿通口１３の内側に突出しないように、挿通口１３に整合する２つの切欠きが設けられている。したがって受板１０が受入れ位置であれば、本体部１１の上部の切欠きと、挿通口１３と、軸受筒部１１ａの切欠きとが、一直線に整合するので、給電端子２３を挿通口１３に差し込むことができる。
【００２３】
受板１０は本体部１１の開口１１ｂの縁に被さった形で、支軸１０ａが軸受筒部１１ａに保持される。そのため口金によって後方に押されても、本体部１１に対して後退しない。また受板１０の裏側には、その開口１１ｂの内周面に接触するガイド部が設けられており、開口１１ｂに対して位置ずれを防止するようになっている。
【００２４】
また受板１０の本体部１１との重なり部分には、同心円上で９０°間隔に４つの小孔１０ｂが形成されており、その小孔１０ｂに対応して、本体部１１には同心円上に２つの係止爪１１ｃが形成されている。
【００２５】
係止爪１１ｃは、受板１０が受入れ位置にあるときと、保持位置にあるときに小孔１０ｂに引っかかってクリック感や位置ずれに対する抗力を生じさせる。
【００２６】
本体部１１の両側面には背後に向けて背面よりも突出した固定爪１５がそれぞれ設けられている。固定爪１５の先端は半球形であり、中間部は内側が削られた半円形の横断面を有する。固定爪１５の間には本体部１１側を凸面とした板バネ１７が渡され、この弾性力によって固定時に隙間を生じないようにしている。
また、本体部１１の底面にはリード線結線端子１８が設けられ、対応した弾性導電部材１２まで配線されている。なおリード線結線端子１８は速結端子が望ましい。
【００２７】
このソケットは背面側が照明器具等を構成する板材に固定されることを想定しているが、ソケットが固定される板材には固定爪１５に対応して一対の固定孔を設けておく必要がある。固定孔の間隔は固定爪の間隔よりも幾分狭くしておく。その場合、ソケットの固定爪を内側に寄せて板材の固定孔に強く押し当てると、固定爪の先端部が固定孔を通過するが、その後固定爪の間隔が元に戻れば、固定爪の先端部が固定孔の縁に引っかかって抜けなくなり、ソケットが板材に固定される。この状態のソケットは、板バネ１７の弾性力によって板材からやや浮いた状態で保持されるので多少の前後移動が可能である。
【００２８】
直管形ＬＥＤランプは両端に口金が設けられ、それぞれの口金には給電端子が設けられている。ここでは口金としてＬＥＤランプ２Ａには、ランプに給電するためのプラス、マイナスの極性端子が設けられた給電用口金と、ランプをアースするためのアース端子が設けられたアース用口金を想定する。すなわちＬＥＤランプ２Ａは直流駆動タイプのものである。ソケット１Ａは、給電用口金にも、アース用口金にも対応できるが、特に直流駆動タイプのＬＥＤランプの給電用口金に対応させることが望ましい。
【００２９】
なぜならば、直流電源は極性を有するが、ソケット１Ａは受板１０の回動範囲の規制によって、ソケット１Ａに装着されたＬＥＤランプの給電端子と、ソケット１Ａの弾性導電部材１２との対応関係が確立されるからである。すなわち回動規制手段１４によって、受板１０は、ＬＥＤランプの装着時の回動範囲が９０°に規制されているので、正面視したとき、受入れ位置で上側にあった給電端子２３は、保持位置では必ず右側の弾性導電部材１２に接続され、基準位置で下側にあった給電端子２３は、保持位置では必ず左側の弾性導電部材１２に接続されることになる。
【００３０】
またソケット１Ａは、誤装着をさけるため、受板１０に１つの凸部１６が形成され、ランプ側に、その凸部１６を嵌め入れるための凹部２４を対応して設けている。凹凸の形状や構造は限定されないが、このような凸部１６があれば、そこに嵌合する凹部２４を口金に具備しない他種別のランプの誤装着を防止できる。たとえばこの凸部１６に対応した凹部２４が設けられた口金を直流駆動タイプのＬＥＤランプに採用し、かつ交流駆動タイプのＬＥＤランプに採用しないならば、ソケット１Ａに装着できるのは、直流駆動タイプのＬＥＤランプのみになる。このような凸部を設けることで、従来の蛍光ランプも装着できない。
【００３１】
図３はアース側ソケットの一例を、図１に対応して示す説明図である。図１と共通する構成要素は同一の参照符号を付けて説明を割愛する。
【００３２】
弾性導電部材１２は図示していないが、本体部１１の内部に固定されている。
ソケット１Ｂは、前述したようなプラス、マイナスの極性のある給電端子とは異なり、回動規制手段１４は設けられておらず、受板１０に凸部１６も形成されていない。また。固定爪の間に渡される板バネ１７もなく、ソケット１Ｂが板材に固定されたときに、その板材との間に隙間が生じないように、固定爪の後方への突出を小さくしている。
【００３３】
図４は、給電側のソケット１Ａ、アース側のソケット１Ｂに対応した直流駆動型ＬＥＤランプを示しており、（ｂ）は正面図、（ａ）は右側面図、（ｃ）は背面図である。
【００３４】
ＬＥＤランプ２Ａは、断面が半円となる半円筒形の金属本体２０に、断面が半円となる半円筒形の透光カバー２１を向かい合わせて接合し、全体として直管形の外観となっている。発光素子を実装した基板（不図示）が透光カバー２１側に向くようにして、金属本体２０に固定されている。透光カバー２１は、ＬＥＤランプ２Ａが所定の高さに配置されたときに、床面を良好に照らす配光特性となるように、レンズ模様２１ａが外壁面の長手方向に筋状に刻設されている。
ＬＥＤランプ２Ａの一端には給電用口金２２Ａが固定され、他端にはアース用口金２２Ｂが固定されている。図４では、（ａ）が給電用であり、（ｃ）がアース用になっている。
【００３５】
給電用口金２２Ａは、その端面に一対の給電端子２３が突設され、ソケット１Ａの凸部１６に対応した凹部２４が形成されている。更に突起２５も設けられているが、この突起２５は、従来の蛍光ランプ用ソケットへの誤挿入を防止するためのものであって、手指あるいは器具等によって容易に除去可能である。このＬＥＤランプ２Ａをソケット１Ａに装着する場合は、この突起２５を予め除去しておけばよい。
【００３６】
アース用口金２２Ｂは、凹部２４が形成されていない点を除けば、給電用口金２２Ａとほぼ同様の構成である。端面には一対の給電端子２３が立設されている。こちらも、ＬＥＤランプ２Ａをソケット１Ｂに装着する場合は、突起２５を予め除去しておけばよい。
【００３７】
図５は、本発明による直管形ＬＥＤランプ用ソケットの他例を示す説明図である。このソケット１Ｃは、交流駆動タイプのＬＥＤランプの給電用ソケットを想定している。図１に示した例と共通する構成要素は同一の参照符号を付けて説明を割愛する。
【００３８】
弾性導電部材１２は図示していないが、図１のものと同様に、本体部１１の内部に固定されている。受板１０には２つの凸部１６が形成されている。交流駆動タイプのＬＥＤランプは、この２つの凸部１６に対応した２つの凹部２４が設けられた口金を採用している。この例では、回動規制手段１４が設けられていないが、これは交流電源が無極性であるため、ＬＥＤランプの給電端子と、ソケット１Ｃの弾性導電部材１２との対応関係を必ずしも確立しなくてよいからである。
【００３９】
図６は、図５に示したソケットに対応した交流駆動型ＬＥＤランプを示しており、（ｂ）は正面図、（ａ）は右側面図、（ｃ）は左側面図である。
【００４０】
このＬＥＤランプ２Ｂは、電源回路が内部に設けられ、給電用口金は端面に、ソケット１Ｃの２つの凸部１６に対応した２つの凹部２４が形成されている点を除けば、直流駆動タイプのＬＥＤランプ２Ａとほぼ同様の構成である。
【００４１】
上記のソケット１Ａ、１Ｂを天井面や壁面に設置し、これに上記のＬＥＤランプ２Ａを取り付けることによって、あるいはソケット１Ｃ、１Ｂを天井面や壁面に設置し、これにＬＥＤランプ２Ｂを取り付けることによって照明システム（不図示）を構成でき、このようなシステムを本発明システムとして提案している。
【００４２】
また、前述したソケットに前述したＬＥＤランプを組み合わせることによって、室内用照明器具等を構成でき、このような照明器具を本発明の照明器具（不図示）として提案している。
【００４３】
図７は、本発明による直管形ＬＥＤランプ用ソケットの変形を示す。ここに（ａ）は正面図、（ｂ）は右側面図である。この変形例は、図１に示したソケット１Ａの本体部１１の形状を異ならせたものである。よって図１に示したソケット１Ａと共通の構成要素には同一の参照符号を付けて説明を割愛する。弾性導電部材１２は図示していないが、本体部１１の内部に固定されている。リード線結線端子１８は本体部１１の正面に設けられている。
【００４４】
このソケット１Ａは、固定爪１５や板バネ１７を備えておらず、本体部１１の両側面には固定溝１９が形成されている。ソケット１Ａは、本体部１１の下部が照明器具等を構成する板材等に固定される。このとき固定溝１９に板材の一部を食い込ませることで、板材に対してソケット１Ａを強固に固定できる。
【符号の説明】
【００４５】
１        ソケット
１０      受板
１１      本体部
１２      弾性導電部材
１３      挿入口
１４      回動規制手段
１４ａ    突出片
１４ｂ    ストッパー部
１６      凸部
２        ランプ
２２      口金
２３      給電端子
２４      凹部
【図１】
0006006989.tif 000002
【図２】
0006006989.tif 000003
【図３】
0006006989.tif 000004
【図４】
0006006989.tif 000005
【図５】
0006006989.tif 000006
【図６】
0006006989.tif 000007
【図７】
0006006989.tif 000008